(57)【要約】      （修正有）【課題】光源の配置と製造コストを低下させ、しかも高い適用性を備えるネイルドライヤーの光源モジュール構造を提供する。【解決手段】複数の光源１、スイッチ部品３１を備える。複数の光源１間はそれぞれ電線ユニット２を通して相互に直列接続し、コントロールユニット３に接続する。スイッチ部品３１はコントロールユニット３に電気的に連接する。光源１は内蓋４に連結し、しかも光源１は基板１１、発光部品１２をそれぞれ備え、基板１１には複数の連接孔１１１を設置し、内蓋４には複数の穿孔４１と凸垣４２を設置し、連接孔１１１は凸垣４２に対応して設置され、これにより発光部品１２は穿孔４１に対応して定位される。これにより光源１はさまざまなタイプの内蓋４に適用可能となり、こうして光源１の配置及び製造コストを引き下げることができ、しかも高い適用性を備える。【選択図】図２
0003185707.tif 000002
【実用新案登録請求の範囲】
【請求項１】
ネイルドライヤーの光源モジュール構造は、複数の光源、スイッチ部品を備え、
前記複数の光源間は、それぞれ電線ユニットを通して相互に直列接続し、コントロールユニットに接続し、
前記スイッチ部品は、前記コントロールユニットに電気的に連接することを特徴とするネイルドライヤーの光源モジュール構造。
【請求項２】
前記光源は、内蓋に連結し、しかも前記光源は、基板、発光部品をそれぞれ備え、
前記基板には、複数の連接孔を設置し、
前記内蓋には、複数の穿孔と凸垣を設置し、
前記連接孔は、前記凸垣に対応し、
これにより、前記発光部品は、前記穿孔に対応して定位されることを特徴とする請求項１に記載のネイルドライヤーの光源モジュール構造。
【請求項３】
前記凸垣は、前記連接孔に溶固することを特徴とする請求項２に記載のネイルドライヤーの光源モジュール構造。
【請求項４】
前記ネイルドライヤーの光源モジュール構造はさらに、外蓋を備え、
前記外蓋は、前記内蓋に設置し、しかも前記光源は、前記内蓋と前記外蓋との間に位置することを特徴とする請求項２或いは３に記載のネイルドライヤーの光源モジュール構造。
【請求項５】
前記外蓋にはさらに、ボタン部品を設置し、前記スイッチ部品に連結することを特徴とする請求項４に記載のネイルドライヤーの光源モジュール構造。
【請求項６】
前記ネイルドライヤーの光源モジュール構造はさらに、底台を備え、
前記底台は、前記内蓋に接続し、
前記底台と前記内蓋との間には、収容設置空間を形成することを特徴とする請求項４に記載のネイルドライヤーの光源モジュール構造。
【請求項７】
前記光源中の少なくとも１個は、紫外線発光ダイオードであることを特徴とする請求項１に記載のネイルドライヤーの光源モジュール構造。
【請求項８】
前記紫外線発光ダイオードが投射する光線の波長は、350〜400ナノであることを特徴とする請求項７に記載のネイルドライヤーの光源モジュール構造。
【考案の詳細な説明】
【技術分野】
【０００１】
本考案はネイルドライヤーの光源モジュール構造に関し、特に光源間をそれぞれ電線ユニットにより相互に直列接続し、これにより光源の配置と製造コストを低下させ、しかも高い適用性を備えるネイルドライヤーの光源モジュール構造に関する。
【背景技術】
【０００２】
見た目への人々のこだわりが強くなるに従い、衣服でおしゃれする他に、着こなしや気持ちに合わせて、さまざまな色のマニキュアを塗り、爪の光沢とカラフル性を高めるおしゃれが広がっている。こうして、ネイル美容産業は急速に発展してきた。そのサービスは、カラーネイル、アクリルネイル、或いはネイルのフォトセラピーなどを含む。中でも、カラーネイルは、爪に各種のマニキュアを塗布し、或いはシールを接着し、同時にさまざまな装飾のアクセサリーを爪の上に接着し、これにより豊富なネイルデザインを実現している。爪の上に塗布するマニキュアやシールを迅速に乾燥させて固化するため、ネイルドライヤーによる光の照射が、多く使用されている。
【０００３】
従来のネイルドライヤー光源は、図１に示すように、基板１０を備える。基板１０には、複数の発光ユニット２０を設置する。これにより、基板１０を、ネイルドライヤー(図示なし)に設置する。ネイルドライヤー内部には、発光ユニット２０に対応する複数の穿孔を設置する。これにより、発光ユニット２０は、穿孔を通して、ネイルドライヤー内部へと光を照射する。
【０００４】
しかし、発光ユニット２０を基板１０に設置する際には、完全に固定してしまい、移動させることができないため、ネイルドライヤー内の穿孔位置が、そのタイプ或いは型式に応じて調整されたなら、基板１０と発光ユニット２０を適用させることができなくなってしまう。これに対して、配置し直す場合には、大量の時間、製造及び配置コストが必要である。しかも、発光ユニット２０が破損した場合のメンテナンスは極めて不便である。
【考案の概要】
【考案が解決しようとする課題】
【０００５】
本考案が解決しようとする課題は、光源間をそれぞれ電線ユニットにより相互に直列接続し、これにより光源の配置と製造コストを低下させ、しかも高い適用性を備えるネイルドライヤーの光源モジュール構造を提供することである。
【課題を解決するための手段】
【０００６】
上記課題を解決するため、本考案は下記のネイルドライヤーの光源モジュール構造を提供する。
ネイルドライヤーの光源モジュール構造は、複数の光源、スイッチ部品を備え、
該複数の光源間は、それぞれ電線ユニットを通して相互に直列接続し、コントロールユニットに接続し、
該スイッチ部品は、該コントロールユニットに電気的に連接し、
該光源は、内蓋に連結し、しかも該光源は、基板、発光部品をそれぞれ備え、
該基板には、複数の連接孔を設置し、
該内蓋には、複数の穿孔と凸垣を設置し、
該連接孔は、該凸垣に対応し、
これにより、該発光部品は、該穿孔に対応して定位され、
該凸垣は、該連接孔に溶固し、
該ネイルドライヤーの光源モジュール構造はさらに、外蓋を備え、
該外蓋は、該内蓋に設置し、しかも該光源は、該内蓋と該外蓋との間に位置し、
該外蓋にはさらに、ボタン部品を設置し、該スイッチ部品に連結し、
該ネイルドライヤーの光源モジュール構造はさらに、底台を備え、
該底台は、該内蓋に接続し、
該底台と該内蓋との間には、収容設置空間を形成し、
該光源中の少なくとも１個は、紫外線発光ダイオードで、
該紫外線発光ダイオードが投射する光線の波長は、350〜400ナノである。
【考案の効果】
【０００７】
本考案のネイルドライヤーの光源モジュール構造は、光源間をそれぞれ電線ユニットにより相互に直列接続し、これにより光源を任意に移動させて設置できるため、内蓋の形状やタイプには制限がなく、穿孔は内蓋に位置し、これにより発光ダイオードは穿孔に対応して定位され、これにより光源の配置及び製造コストを低下させられ、しかも高い適用性を備える。さらに、本考案のネイルドライヤーの光源モジュール構造は、連接孔により凸垣に対応して設置する時には、凸垣を溶固し、連接孔に対応させて設置し、こうして確実に基板を堅固にでき、震動により脱落することがなくなる。また、本考案のネイルドライヤーの光源モジュール構造は、光源の内の少なくとも１個は紫外線発光ダイオードであるため、ネイルを乾燥させて固化すると共に、美白の効果を備え、他の光源は、使用者のニーズに応じて、各種色彩にカスタマイズでき、構造の見た目の美しさを向上させることができる。
【図面の簡単な説明】
【０００８】
【図１】従来のネイルドライヤー光源の立体図である。
【図２】本考案の立体分解模式図である。
【図３】本考案の立体模式図である。
【図４】本考案において基板の連接孔を凸垣に設置した様子を示す模式図である。
【図５】本考案の凸垣を連接孔に溶固する様子を示す模式図である。
【考案を実施するための形態】
【０００９】
図２〜５に示すように、本考案のネイルドライヤーの光源モジュール構造は、複数の光源１、スイッチ部品３１、外蓋５、底台６を備える。
【００１０】
複数の光源１間は、それぞれ電線ユニット２を通して相互に直列接続し、コントロールユニット３に接続する。光源１中の少なくとも１個は、紫外線発光ダイオードである。紫外線発光ダイオードが投射する光線の波長は、350〜400ナノである。光源１は、内蓋４に連結し、しかも光源１は、基板１１、発光部品１２をそれぞれ備える。
基板１１には、複数の連接孔１１１を設置する。内蓋４には、複数の穿孔４１と凸垣４２を設置する。連接孔１１１は、凸垣４２に対応する。しかも、凸垣４２は、連接孔１１１に溶固する。これにより、発光部品１２は、穿孔４１に対応して定位される。
【００１１】
スイッチ部品３１は、コントロールユニット３に電気的に連接する。スイッチ部品３１により、光源１のオン/オフを行う。
外蓋５は、内蓋４に設置する。しかも、光源１は、内蓋４と外蓋５との間に位置する。外蓋５には、ボタン部品５１を設置し、スイッチ部品３１に連結する。
底台６は、内蓋４に接続する。底台６と内蓋４との間には、収容設置空間７を形成する。
【００１２】
本考案の操作状態は、図２〜５に示す。本考案の光源１間は、それぞれ電線ユニット２により相互に直列接続される。よって、光源１間は、さまざまな方向に移動させることができ、各式内蓋４の形状或いはタイプに適用させることができる。さらに、穿孔４１は内蓋４の位置において、発光部品１２は、穿孔４１に対応して定位される。しかも、光源１を、凸垣４２に設置しようとする時には、図４に示すように、凸垣４２を連接孔１１１から伸び出させる。続いて、図５に示すように、凸垣４２が伸び出した連接孔１１１の位置を加熱し、凸垣４２を溶固し、基板１１に安定的かつ堅固に定位する。こうして、発光部品１２は、穿孔４１に対応して定位され、発光部品１２は、穿孔４１を通して光を照射することができる。
【００１３】
本考案の光源１の少なくとも１個は、紫外線発光ダイオードで、しかも外蓋５を内蓋４に設置することで、光源１は外蓋５と内蓋４に位置する。しかも、内蓋４は、底台６に設置し、収容設置空間７を形成する。使用者は手を収容設置空間７に入れ、ボタン部品５１を押し、スイッチ部品３１を起動させる。これにより、発光部品１２は、穿孔４１を通して光の照射を行う。紫外線発光ダイオードが投射する光線波長は、350〜400ナノであるため、使用者のネイルの塗料を乾燥させて固化することができ、かつ美白の効果を備える。しかも、紫外線発光ダイオード以外の光源１は、使用者のニーズに応じて、各色彩にカスタマイズすることができる。これにより、本考案構造の外観の美しさを高めることができ、消費者の購買意欲を増進することができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１５】
１０  基板
２０  発光ユニット
１  光源
１１  基板
１１１  連接孔
１２  発光部品
２  電線ユニット
３  コントロールユニット
３１  スイッチ部品
４  内蓋
４１  穿孔
４２  凸垣
５  外蓋
５１  ボタン部品
６  底台
７  収容設置空間
【図１】
0003185707.tif 000003
【図２】
0003185707.tif 000004
【図３】
0003185707.tif 000005
【図４】
0003185707.tif 000006
【図５】
0003185707.tif 000007